(57)【要約】【課題】  ダイオキシン類の疎水性溶媒溶液から、バイオアッセイ法による分析に適した信頼性の高い親水性のダイオキシン類分析用試料を容易にかつ短時間で調製する。【解決手段】  シリカゲル系充填材22aを充填した後段カラム22へダイオキシン類のヘキサン溶液を供給し、当該ヘキサン溶液が供給された後段カラム22に対して第一溶媒供給部60からジクロロメタン含有ヘキサンを供給する。後段カラム22へ供給されたジクロロメタン含有ヘキサンは、ヘキサン溶液中のダイオキシン類を溶解しながら後段カラム22を通過し、アルミナ系充填材30aを充填した溶媒置換用カラム30を通過する。ジクロロメタン含有ヘキサンに溶解したダイオキシン類は、アルミナ系充填材30aに捕捉される。溶媒置換用カラム30に対し、ジクロロメタン含有ヘキサンの通過方向とは逆方向へ第二溶媒供給部70からジメチルスルホキシドを供給して通過させ、それを確保すると、目的の分析用試料が得られる。【選択図】        図１
2006275821.tif 000002
【特許請求の範囲】
【請求項１】
ダイオキシン類の疎水性溶媒溶液から親水性のダイオキシン類分析用試料を調製するための方法であって、
シリカゲル系充填材を充填した第一カラムへ前記疎水性溶媒溶液を供給する工程と、
前記疎水性溶媒溶液が供給された前記第一カラムに対してジクロロメタン含有脂肪族炭化水素溶媒を供給して通過させる工程と、
アルミナ系充填材を充填した第二カラムへ前記第一カラムを通過後の前記ジクロロメタン含有脂肪族炭化水素溶媒を供給して通過させる工程と、
前記ジクロロメタン含有脂肪族炭化水素溶媒が通過後の前記第二カラムに対し、前記ジクロロメタン含有脂肪族炭化水素溶媒の通過方向とは逆方向へ前記ダイオキシン類を溶解可能な親水性溶媒を供給して通過させる工程と、
前記第二カラムを通過した前記親水性溶媒を確保する工程と、
を含むダイオキシン類分析用試料の調製方法。
【請求項２】
前記第二カラムへ前記親水性溶媒を供給する前に、前記第二カラムに対して不活性ガスを供給する工程をさらに含む、請求項１に記載のダイオキシン類分析用試料の調製方法。
【請求項３】
前記第二カラムを加熱しながら前記第二カラムに対して前記親水性溶媒を供給する、請求項１または２に記載のダイオキシン類分析用試料の調製方法。
【請求項４】
ダイオキシン類の疎水性溶媒溶液から親水性のダイオキシン類分析用試料を調製するための装置であって、
シリカゲル系充填材を充填した第一カラムと、
アルミナ系充填材を充填した第二カラムと、
前記第一カラムへ前記疎水性溶媒溶液を供給するための供給路と、
前記第一カラムへジクロロメタン含有脂肪族炭化水素溶媒を供給するための第一溶媒供給部と、
前記第一カラムからの前記ジクロロメタン含有脂肪族炭化水素溶媒を前記第二カラムに対して供給するためのカラム連絡路と、
前記第二カラムに対し、前記ダイオキシン類を溶解可能な親水性溶媒を供給するための第二溶媒供給部と、
前記第二カラムを通過した前記親水性溶媒を排出するための排出路とを備え、
前記第二溶媒供給部は、前記カラム連絡路から前記第二カラムに対する前記疎水性溶媒の供給方向とは逆方向に、前記第二カラムに対して前記親水性溶媒を供給可能に設定されている、
ダイオキシン類分析用試料の調製装置。
【請求項５】
前記第二カラムに対して不活性ガスを供給するためのガス供給部をさらに備えている、請求項４に記載のダイオキシン類分析用試料の調製装置。
【請求項６】
前記第二カラムの加熱手段をさらに備えている、請求項４または５に記載のダイオキシン類分析用試料の調製装置。
【発明の詳細な説明】
【技術分野】
【０００１】
本発明は、分析用試料の調製方法および調製装置、特に、ダイオキシン類分析用試料の調製方法および調製装置に関する。
【背景技術】
【０００２】
ダイオキシン類は毒性の強い環境汚染物質であることから、ダイオキシン類対策特別措置法（平成１１年法律第１０５号）は、廃棄物焼却施設からの排気ガス、大気、工場排水や河川水などの水、廃棄物焼却施設において発生する飛灰（フライアッシュ）および土壌等に含まれるダイオキシン類を定期的に分析することを義務付けている。ここで、本願における「ダイオキシン類」の用語は、ダイオキシン類対策特別措置法第２条の規定に倣い、ポリ塩化ジベンゾ−パラ−ジオキシン（ＰＣＤＤｓ）およびポリ塩化ジベンゾフラン（ＰＣＤＦｓ）に加え、コプラナーポリ塩化ビフェニル（Ｃｏ−ＰＣＢｓ）を含む意味として用いる。
【０００３】
排気ガスや水等の流体中や土壌中に含まれるダイオキシン類を分析する場合は、先ず、排気ガスや土壌等の検体中に含まれるダイオキシン類を分析用試料として採取する必要がある。例えば、排気ガス中に含まれるダイオキシン類の分析用試料を採取する方法として、非特許文献１に記載されたガラス製インピンジャーを用いる方法や特許文献１、２および３等に記載のフイルタを用いる方法が知られている。これらの方法において、一般に、ダイオキシン類の分析用試料は、最終的にトルエンやｎ−ヘキサン等の疎水性溶媒を用いた数十〜百数十ミリリットルの抽出液として得られる。得られた抽出液は、多層シリカゲルカラム等を用いて精製処理された後、通常、ガスクロマトグラフ質量分析計（ＧＣ／ＭＳ）を用いて分析される。
【０００４】
ところで、ダイオキシン類は、多種類の化合物の総称であり、毒性の強いものと弱いものとが存在している。したがって、ダイオキシン類の分析は、全体的な定量的評価をするよりも、毒性等量（ＴＥＱ値）として定量化し、それに基づいて評価する方が実用的で有益な場合が多い。そこで、ダイオキシン類のＴＥＱ値を簡便かつ迅速に評価するための方法として、イムノアッセイ法（例えばＥＬＩＳＡ法）、ＥＲＯＤ法およびＤＲ−ＣＡＬＵＸ法等のバイオアッセイ法が提案されている（例えば、特許文献４および非特許文献２〜９参照）。
【０００５】
バイオアッセイ法は、抗原抗体反応等の生体反応を応用した分析手法であり、それを実施するためには、採取したダイオキシン類を少量の親水性溶媒溶液に溶解した分析用試料が必要になる。この分析用試料を調製するためには、通常、疎水性溶媒を用いた上述の抽出液、すなわちダイオキシン類の疎水性溶媒溶液を多層シリカゲルカラム等を用いて精製処理した後、ダイオキシン類を溶解している疎水性溶媒をジメチルスルホキシド（ＤＭＳＯ）やアルコール等のバイオアッセイ法に適した親水性溶媒に置換し、また、これにより得られたダイオキシン類の親水性溶媒溶液を数ミリリットル程度若しくは１ミリリットル以下の少量に濃縮する必要がある。
【０００６】
ところで、上述の抽出液において疎水性溶媒を親水性溶媒に置換すると共に濃縮するための方法は、例えば、非特許文献８および非特許文献９に記載されている。これらの文献に記載の方法では、基本的に、精製後の抽出液からエバポレーターを用いて減圧下で疎水性溶媒を除去し、その残留物（すなわち、ダイオキシン類試料）へＤＭＳＯ等の親水性溶媒を少量加えて残留物を溶解している。また、必要に応じ、得られた親水性溶媒溶液へ窒素ガスを吹き付け、当該親水性溶媒溶液をさらに濃縮している。これにより、目的の試料、すなわち、バイオアッセイ法に適した親水性のダイオキシン類分析用試料が得られる。
【０００７】
しかし、非特許文献８、９に記載の方法は、ダイオキシン類の疎水性溶媒溶液から疎水性溶媒を除去するための操作と、疎水性溶媒を除去後のダイオキシン類試料を親水性溶媒に溶解するための操作とを個別に手作業で実施する必要があるため、操作が煩雑であり、ダイオキシン類の分析用試料を入手するまでに長時間を要する。また、この分析用試料は、操作者の技術の巧拙によりダイオキシン類濃度が変動する可能性があるため、分析値の精度が一定とならない等、信頼性を欠く場合が多い。さらに、上述の抽出液、すなわち、ダイオキシン類の疎水性溶媒溶液は、多層シリカゲルカラム等による精製後であっても、ポリ塩化ナフタレン等のダイオキシン類以外のポリ塩化多環芳香族炭化水素類を不純物として含む場合がある。ダイオキシン類以外のポリ塩化多環芳香族炭化水素類は、抽出液の疎水性溶媒を親水性溶媒に置換した後も残留し、ダイオキシン類と同様に抗体やＡｈレセプターと交差反応性を有するため、バイオアッセイ法においてダイオキシン類のＴＥＱ値を過大評価させる要因になり、分析結果の信頼性を損なう可能性がある。
【０００８】
本発明の目的は、ダイオキシン類の疎水性溶媒溶液から、信頼性の高い親水性のダイオキシン類分析用試料を容易にかつ短時間で調製することにある。
【０００９】
【非特許文献１】１９９９年９月２０日制定の日本工業規格ＪＩＳ  Ｋ  ０３１１：１９９９
【非特許文献２】和光純薬工業株式会社「ダイオキシンＥＬＩＳＡキットワコー」の商品情報、［平成１７年３月８日検索］、インターネット＜ＵＲＬ：http://www.wako-chem.co.jp/siyaku/journal/anal/pdf/anal27.pdf＞
【非特許文献３】コスモ・バイオ株式会社「イムノエコＤＸＮ」の技術資料、［平成１７年３月１７日検索］、インターネット＜ＵＲＬ：http://search.cosmobio.co.jp/cosmo_search_p/search_gate2/docs/CRI_EDXN.20030206.pdf＞
【非特許文献４】米国ケープテクノロジーズ社（CAPE Technologies L.L.C.）の「ＤＦ１  ダイオキシン／フラン  イムノアッセイキット用インサート（Insert for DF1 Dioxin/Furan Immunoassay Kit）」、［平成１７年３月８日検索］、インターネット＜ＵＲＬ：http://www.cape-tech.com/IN-DF1.pdf＞
【非特許文献５】東洋紡績株式会社「Ｄｉｏｘｉｎ  ＥＬＩＳＡ  Ｋｉｔ」の商品情報、［平成１７年３月８日検索］、インターネット＜ＵＲＬ：http://www.toyobo.co.jp/seihin/xr/olul/upld71/new/dioxinelis71nr06.pdf＞
【非特許文献６】株式会社クボタ「Ａｈイムノアッセイ」の商品情報、［平成１７年３月８日検索］、インターネット＜ＵＲＬ：http://tdh.kubota.co.jp/ahi/main1.html＞
【非特許文献７】和光純薬工業株式会社「ＤＩＯＸＩＮ  ＲＩＳｃ  ＴＥＳＴ」の商品情報、［平成１７年３月１７日検索］、インターネット＜ＵＲＬ：http://www.wako-chem.co.jp/siyaku/info/env/pdf/dioxin.pdf＞
【非特許文献８】「ダイオキシン類の脱塩素化処理におけるバイオアッセイモニタリング」、第１１回環境化学討論会講演要旨集、日本環境化学会、２００２年６月３日〜５日、４３０−４３１頁
【非特許文献９】Ｏｒｇａｎｏｈａｌｏｇｅｎ Ｃｏｍｐｏｕｎｄｓ，４５，２００−２０３（２０００）
【００１０】
【特許文献１】特許第３２７３７９６号公報
【特許文献２】ＷＯ０１／９１８８３号公報
【特許文献３】特開２００４−５３３８８
【特許文献４】特開２００１−２２６３７１公報
【発明の開示】
【課題を解決するための手段】
【００１１】
本発明に係るダイオキシン類分析用試料の調製方法は、ダイオキシン類の疎水性溶媒溶液から親水性のダイオキシン類分析用試料を調製するための方法であり、シリカゲル系充填材を充填した第一カラムへダイオキシン類の疎水性溶媒溶液を供給する工程と、ダイオキシン類の疎水性溶媒溶液が供給された第一カラムに対してジクロロメタン含有脂肪族炭化水素溶媒を供給して通過させる工程と、アルミナ系充填材を充填した第二カラムへ第一カラムを通過後のジクロロメタン含有脂肪族炭化水素溶媒を供給して通過させる工程と、ジクロロメタン含有脂肪族炭化水素溶媒が通過後の第二カラムに対し、ジクロロメタン含有脂肪族炭化水素溶媒の通過方向とは逆方向へダイオキシン類を溶解可能な親水性溶媒を供給して通過させる工程と、第二カラムを通過した親水性溶媒を確保する工程とを含んでいる。
【００１２】
この調製方法において、第一カラムへ供給された疎水性溶媒溶液中のダイオキシン類は、第一カラムに対して供給されるジクロロメタン含有脂肪族炭化水素溶媒に溶解し、ジクロロメタン含有脂肪族炭化水素溶媒と共に第一カラムを通過する。この際、ジクロロメタン含有脂肪族炭化水素溶媒に含まれる不純物は、ポリ塩化ナフタレン等のダイオキシン類以外のポリ塩化多環芳香族炭化水素類を除き、シリカゲル系充填材により捕捉され、第一カラム内に留まる。第一カラムを通過したジクロロメタン含有脂肪族炭化水素溶媒を第二カラムへ供給すると、ジクロロメタン含有脂肪族炭化水素溶媒に溶解したダイオキシン類は、ジクロロメタン含有脂肪族炭化水素溶媒が第二カラムを通過する際にアルミナ系充填材により捕捉され、第二カラム内に留まる。そして、アルミナ系充填材により捕捉されたダイオキシン類は、第二カラムに対し、ジクロロメタン含有脂肪族炭化水素溶媒の通過方向とは逆方向へ親水性溶媒を供給して通過させると、当該親水性溶媒に溶解し、抽出される。したがって、第二カラムに対して供給した親水性溶媒を第二カラムの通過後に確保すると、ダイオキシン類の親水性分析用試料が得られる。
【００１３】
ここで、第一カラムから第二カラムに対して供給されたジクロロメタン含有脂肪族炭化水素溶媒に溶解しているダイオキシン類は、第二カラムにおいて、主に、ジクロロメタン含有脂肪族炭化水素溶媒の流入側端部付近に留まる。したがって、このダイオキシン類は、第二カラムに対し、ジクロロメタン含有脂肪族炭化水素溶媒の通過方向とは逆方向へ通過する少量の親水性溶媒に溶解し、第二カラムから容易に抽出される。したがって、この調製方法により得られる親水性のダイオキシン類分析用試料は、余分な親水性溶媒を含まず、少量に設定される。
【００１４】
因みに、第一カラムから第二カラムに対して供給されたジクロロメタン含有脂肪族炭化水素溶媒に含まれるダイオキシン類以外のポリ塩化多環芳香族炭化水素類は、アルミナ系充填材により捕捉されず、ジクロロメタン含有脂肪族炭化水素溶媒と共に第二カラムを通過する。このため、上述の方法により得られるダイオキシン類の親水性分析用試料は、ダイオキシン類の分析を阻害する可能性のあるダイオキシン類以外のポリ塩化多環芳香族炭化水素類を実質的に含まず、信頼性が高い。
【００１５】
この調製方法では、通常、第二カラムへ親水性溶媒を供給する前に、第二カラムに対して不活性ガスを供給する工程をさらに含んでいる。この場合、親水性溶媒を供給する前の第二カラムに残留するジクロロメタン含有脂肪族炭化水素溶媒を不活性ガスの気流により除去することができるため、ジクロロメタン含有脂肪族炭化水素溶媒を不純物として含みにくい親水性の分析用試料を得ることができる。
【００１６】
また、この調製方法においては、例えば、第二カラムを加熱しながら第二カラムに対して親水性溶媒を供給することができる。このようにすると、第二カラムにおいて捕捉されたダイオキシン類をより少量の親水性溶媒で抽出することができる。
【００１７】
本発明に係るダイオキシン類分析用試料の調製装置は、ダイオキシン類の疎水性溶媒溶液から親水性のダイオキシン類分析用試料を調製するためのものであり、シリカゲル系充填材を充填した第一カラムと、アルミナ系充填材を充填した第二カラムと、第一カラムへダイオキシン類の疎水性溶媒溶液を供給するための供給路と、第一カラムへジクロロメタン含有脂肪族炭化水素溶媒を供給するための第一溶媒供給部と、第一カラムからのジクロロメタン含有脂肪族炭化水素溶媒を第二カラムに対して供給するためのカラム連絡路と、第二カラムに対し、ダイオキシン類を溶解可能な親水性溶媒を供給するための第二溶媒供給部と、第二カラムを通過した親水性溶媒を排出するための排出路とを備えている。ここで、第二溶媒供給部は、カラム連絡路から第二カラムに対するジクロロメタン含有脂肪族炭化水素溶媒の供給方向とは逆方向に、第二カラムに対して親水性溶媒を供給可能に設定されている。
【００１８】
この調製装置において、供給路から第一カラムへ供給された疎水性溶媒溶液中のダイオキシン類は、第一溶媒供給部から第一カラムへ供給されるジクロロメタン含有脂肪族炭化水素溶媒に溶解し、ジクロロメタン含有脂肪族炭化水素溶媒と共に第一カラムを通過する。この際、疎水性溶媒溶液に含まれる不純物は、ポリ塩化ナフタレン等のダイオキシン類以外のポリ塩化多環芳香族炭化水素類を除き、シリカゲル系充填材により捕捉され、第一カラム内に留まる。第一カラムを通過後、カラム連絡路を通じて第二カラムへ供給されたジクロロメタン含有脂肪族炭化水素溶媒に溶解しているダイオキシン類は、ジクロロメタン含有脂肪族炭化水素溶媒が第二カラムを通過する際にアルミナ系充填材により捕捉され、第二カラム内に留まる。そして、第二溶媒供給部から第二カラムに対してジクロロメタン含有脂肪族炭化水素溶媒の通過方向とは逆方向へ親水性溶媒を供給すると、アルミナ系充填材に捕捉されたダイオキシン類は、当該親水性溶媒に溶解して抽出され、親水性のダイオキシン類分析用試料として排出路から排出される。
【００１９】
ここで、第一カラムから第二カラムに対して供給されたジクロロメタン含有脂肪族炭化水素溶媒に溶解しているダイオキシン類は、第二カラムにおいて、主に、ジクロロメタン含有脂肪族炭化水素溶媒の流入側端部付近に留まる。したがって、このダイオキシン類は、第二カラムに対し、ジクロロメタン含有脂肪族炭化水素溶媒の通過方向とは逆方向へ通過する少量の親水性溶媒に溶解し、第二カラムから容易に抽出される。したがって、この調製装置により得られる親水性のダイオキシン類分析用試料は、余分な親水性溶媒を含まず、少量に設定される。
【００２０】
因みに、第一カラムから第二カラムに対して供給されたジクロロメタン含有脂肪族炭化水素溶媒に含まれるダイオキシン類以外のポリ塩化多環芳香族炭化水素類は、アルミナ系充填材により捕捉されず、ジクロロメタン含有脂肪族炭化水素溶媒と共に第二カラムを通過する。このため、この調製装置により得られるダイオキシン類の親水性分析用試料は、ダイオキシン類の分析を阻害する可能性のあるダイオキシン類以外のポリ塩化多環芳香族炭化水素類を実質的に含まず、信頼性が高い。
【００２１】
この調製装置は、通常、第二カラムに対して不活性ガスを供給するためのガス供給部をさらに備えている。この場合、親水性溶媒を供給する前の第二カラムに残留する疎水性溶媒を不活性ガスの気流により除去することができるため、疎水性溶媒を不純物として含みにくい親水性の分析用試料を得ることができる。
【００２２】
また、この調製装置は、例えば、第二カラムの加熱手段をさらに備えていてもよい。この場合、第二カラムを加熱しながら第二カラムに対して親水性溶媒を供給することができるため、第二カラムにおいて捕捉されたダイオキシン類をより少量の親水性溶媒で抽出することができる。
【発明の効果】
【００２３】
本発明に係るダイオキシン類の分析用試料調製方法は、上述の工程を含んでいるため、ダイオキシン類の疎水性溶媒溶液から、信頼性の高い親水性のダイオキシン類分析用試料を容易にかつ短時間で調製することができる。
【００２４】
また、本発明に係るダイオキシン類の分析用試料調製装置は、上述の構成要素を備えているため、ダイオキシン類の疎水性溶媒溶液から、信頼性の高い親水性のダイオキシン類分析用試料を容易にかつ短時間で調製することができる。
【発明を実施するための最良の形態】
【００２５】
図１を参照して、本発明に係るダイオキシン類分析用試料の調製装置の一形態を説明する。図において、調製装置１は、試料供給路（供給路の一例）１０、精製用カラム２０、溶媒置換用カラム３０（第二カラムの一例）、カラム連絡路４０、溶媒排出路５０、第一溶媒供給部６０、第二溶媒供給部７０およびガス供給部８０を主に備えている。
【００２６】
試料供給路１０は、精製用カラム２０に対し、後述するダイオキシン類の疎水性溶媒溶液を供給するためのものであり、第一切替弁１１を有している。
【００２７】
精製用カラム２０は、前段カラム２１と後段カラム２２（第一カラムの一例）との二つのカラムを上下に連結したものである。前段カラム２１は、上下方向に開口しており、かつ、上部側の開口部に試料供給路１０が連絡しており、試料供給路１０からの疎水性溶媒溶液を一時的に保持するための粒状の保持材２１ａが充填されている。保持材２１ａは、疎水性溶媒溶液を粒子の隙間で保持することができ、また、後述するジクロロメタン含有脂肪族炭化水素溶媒を供給した場合に疎水性溶媒溶液中のダイオキシン類を溶出することができるものであれば各種のものを用いることができるが、例えば、シリカゲル、アルミナ、珪藻土および硫酸ナトリウムを用いるのが好ましい。これらの保持材２１ａは、必要に応じて二種類以上のものが混合して用いられてもよい。
【００２８】
一方、後段カラム２２は、疎水性溶媒溶液からダイオキシン類以外の不純物（但し、ポリ塩化多環芳香族炭化水素類を除く）を除去するためのものであり、上下方向に開口しており、かつ、シリカゲル系充填材２２ａが充填されている。シリカゲル系充填材２２ａは、疎水性溶媒溶液に含まれる上述の不純物を捕捉することができるものであれば、特に限定されるものではないが、通常は、シリカゲル、硝酸銀シリカゲル若しくは硫酸シリカゲルを用いるのが好ましい。これらのシリカゲル系充填材２２ａは、二種類以上のものが併用されてもよい。この場合、シリカゲル系充填材２２ａは、後段カラム２２において、二種類以上のものを混合した状態で充填されていてもよいし、二種類以上のものが多層に充填されていてもよい。
【００２９】
溶媒置換用カラム３０は、後述するジクロロメタン含有脂肪族炭化水素溶媒に溶解しているダイオキシン類を捕捉するためのアルミナ系充填材３０ａを充填したものであり、上下方向に開口しており、かつ、ヒーター等の第一加熱装置３１を備えている。アルミナ系充填材３０ａは、その種類が限定されるものではないが、通常、塩基性アルミナ、中性アルミナおよび酸性アルミナのいずれかを用いることができる。
【００３０】
カラム連絡路４０は、精製用カラム２０の後段カラム２２と溶媒置換用カラム３０とを連絡するためのものであり、一端が後段カラム２２の下部側の開口部と連絡しており、また、他端が溶媒置換用カラム３０の上部側の開口部と連絡している。また、カラム連絡路４０は、第二切替弁４１を有している。この第二切替弁４１には、分析用試料排出路４２（排出路の一例）の一端が連絡しており、この分析用試料排出路４２の末端は開口している。
【００３１】
溶媒排出路５０は、溶媒置換用カラム３０の下部側の開口部から延びており、第三切替弁５１を有し、かつ、末端が開口している。そして、溶媒排出路５０の末端には、溶媒回収タンク（図示せず）が配置されている。
【００３２】
第一溶媒供給部６０は、第一溶媒タンク６１と、第一溶媒タンク６１から延びる第一溶媒供給路６２とを備えている。第一溶媒タンク６１は、ジクロロメタン含有脂肪族炭化水素溶媒を貯留するためのものである。また、第一溶媒供給路６２は、第一切替弁１１と連絡しており、第一溶媒タンク６１内のジクロロメタン含有脂肪族炭化水素溶媒を第一切替弁１１方向へ送り出すための第一ポンプ６３を有している。
【００３３】
第一溶媒タンク６１に貯留するジクロロメタン含有脂肪族炭化水素溶媒は、脂肪族炭化水素溶媒とジクロロメタンとの混合溶媒である。ここで用いられる脂肪族炭化水素溶媒は、特に限定されるものではないが、通常は炭素数が５〜１０の無極性のもの、例えば、ｎ−ヘキサン、イソオクタン、ノナンおよびデカンが好ましい。特に、ｎ−ヘキサンを用いるのが好ましい。この脂肪族炭化水素溶媒は、後述するダイオキシン類の疎水性溶媒溶液において用いられる疎水性溶媒と同じものであってもよいし、異なるものであってもよい。ジクロロメタン含有脂肪族炭化水素溶媒におけるジクロロメタン濃度は、通常、０．５〜１０容量％が好ましく、１〜５容量％がより好ましい。ジクロロメタン濃度が０．５容量％未満の場合は、後述する分析用試料がダイオキシン類以外のポリ塩化多環芳香族炭化水素類を含む可能性がある。逆に、当該濃度が１０容量％を超える場合は、後述する一次処理液に含まれるダイオキシン類の一部が溶媒置換用カラム３０を通過してしまう可能性がある。また、当該ダイオキシン類が溶媒置換用カラム３０の下の方まで展開してしまい、溶媒置換用カラム３０において捕捉されたダイオキシン類を抽出するために多量の親水性溶媒が必要になる可能性がある。
【００３４】
第二溶媒供給部７０は、第二溶媒タンク７１と、第二溶媒タンク７１から延びる第二溶媒供給路７２とを備えている。第二溶媒タンク７１は、親水性溶媒を貯留するためのものであり、親水性溶媒を加熱して温めるための第二加熱装置（図示せず）を有している。ここで用いられる親水性溶媒は、少量でダイオキシン類を溶解することができるものであれば特に限定されるものではないが、通常、ジメチルスルホキシド（ＤＭＳＯ）やメタノールなどである。特に、ジメチルスルホキシドを用いるのが好ましい。また、ジメチルスルホキシドは、界面活性剤が添加されたものであってもよい。ここで用いられる界面活性剤は、例えば、ポリオキシエチレン（２０）ソルビタンモノラウレート（例えば、ユニケマ社の商品名「Ｔｗｅｅｎ２０」）やポリオキシエチエン（１０）オクチルフェニルエーテル（例えば、ユニオンカーバイド社の商品名「Ｔｒｉｔｏｎ  Ｘ−１００」）などである。界面活性剤の添加量は、通常、その濃度が０．００１〜１重量％になるよう設定するのが好ましく、０．０１〜０．２重量％になるよう設定するのがより好ましい。
【００３５】
第二溶媒供給路７２は、第三切替弁５１と連絡しており、また、第二溶媒タンク７１内の親水性溶媒を第三切替弁５１方向へ送り出すための第二ポンプ７３を有している。
【００３６】
ガス供給部８０は、窒素等の不活性ガスのガスボンベ８１と、ガスボンベ８１から延びかつ第二切替弁４１と接続されたガス供給管８２とを有している。
【００３７】
上述の調製装置１において、第一切替弁１１は、試料供給路１０と前段カラム２１との間の連絡若しくは第一溶媒供給路６２と前段カラム２１との間の連絡のいずれかに流路を切替えるためのものである。また、第二切替弁４１は、後段カラム２２と溶媒置換用カラム３０との間の連絡、ガス供給管８２と溶媒置換用カラム３０との間の連絡若しくは溶媒置換用カラム３０と分析用試料排出路４２との間の連絡のいずれかに流路を切替えるためのものである。さらに、第三切替弁５１は、溶媒置換用カラム３０と溶媒排出路５０との間の連絡もしくは第二溶媒供給路７２と溶媒置換用カラム３０との間の連絡のいずれかに流路を切替えるためのものである。
【００３８】
次に、上述の調製装置１を用いたダイオキシン類分析用試料の調製方法について説明する。先ず、第一切替弁１１、第二切替弁４１および第三切替弁５１を所定の初期状態に設定する。すなわち、第一切替弁１１は、試料供給路１０と前段カラム２１とが連絡するよう設定する。第二切替弁４１は、後段カラム２２と溶媒置換用カラム３０とが連絡するよう設定する。第三切替弁５１は、溶媒置換用カラム３０と溶媒排出路５０とが連絡するよう設定する。
【００３９】
次に、試料供給路１０へダイオキシン類の疎水性溶媒溶液を供給する。ここで供給するダイオキシン類の疎水性溶媒溶液は、例えば、１９９９年９月２０日制定の日本工業規格ＪＩＳ  Ｋ  ０３１１：１９９９（上述の非特許文献１）に記載の装置または特許第３２７３７９６号公報（上述の特許文献１）、ＷＯ０１／９１８８３号公報（上述の特許文献２）若しくは特開２００４−５３３８８号公報（上述の特許文献３）に記載のフイルタ等を用いて焼却施設から発生する排気ガスや工場廃水などの流体中に含まれるダイオキシン類を採取し、採取されたダイオキシン類を有機溶媒で抽出した抽出液若しくは土壌や飛灰等に含まれるダイオキシン類を有機溶媒で抽出して得られた抽出液等である。これらの抽出液は、通常、流体、土壌若しくは飛灰等の検体中のダイオキシン類を上述のような操作によりｎ−ヘキサン等の脂肪族炭化水素溶媒などの疎水性溶媒を用いて抽出することにより得られたものであれば、上述の疎水性溶媒溶液としてそのまま利用することができる。これに対し、これらの抽出液が他の有機溶媒、例えばトルエンなどを用いた抽出により得られたものの場合、当該抽出液は、抽出用に用いた有機溶媒をｎ−ヘキサン等の疎水性溶媒に置換すれば、上述の疎水性溶媒溶液として利用することができる。ここで、抽出あるいは溶媒置換に用いられる疎水性溶媒は、通常、炭素数が５〜１０の脂肪族炭化水素溶媒が好ましく、例えば、ｎ−ヘキサン、イソオクタン、ノナンおよびデカンなどを挙げることができる。これらのうち、ｎ−ヘキサンは、安価な溶媒であるため、特に好ましく使用することができる。
【００４０】
試料供給路１０へ供給されたダイオキシン類の疎水性溶媒溶液は、試料供給路１０を通じて精製用カラム２０の前段カラム２１へ供給され、その保持材２１ａに保持される。疎水性溶媒溶液の全量が前段カラム２１へ供給されると、第一切替弁１１を操作して第一溶媒供給路６２と前段カラム２１とが連絡するよう設定し、また、第一ポンプ６３を作動させる。これにより、第一溶媒タンク６１内のジクロロメタン含有脂肪族炭化水素溶媒は、第一溶媒供給路６２および試料供給路１０の一部を通じて前段カラム２１へ連続的に供給される。
【００４１】
前段カラム２１へ供給された初期のジクロロメタン含有脂肪族炭化水素溶媒は、前段カラム２１の保持材２１ａに保持されたダイオキシン類の疎水性溶媒溶液を後段カラム２２へ移動させる。この結果、ダイオキシン類の疎水性溶媒溶液は、後段カラム２２へ供給されることになる。この際、前段カラム２１の保持材２１ａとしてシリカゲルやアルミナを用いていると、疎水性溶媒溶液に含まれるダイオキシン類以外の不純物の一部が、ポリ塩化ナフタレン等のポリ塩化多環芳香族炭化水素類を除き、保持材２１ａに捕捉される。すなわち、疎水性溶媒溶液は、前段カラム２１において、予備的な精製処理が施される。
【００４２】
第一溶媒タンク６１から前段カラム２１へ続いて供給されるジクロロメタン含有脂肪族炭化水素溶媒は、前段カラム２１を通過して後段カラム２２へ供給される。後段カラム２２へ供給されたジクロロメタン含有脂肪族炭化水素溶媒は、後段カラム２２へ供給された疎水性溶媒溶液中のダイオキシン類を溶解しながら後段カラム２２を通過する。この際、疎水性溶媒溶液に含まれるダイオキシン類以外の不純物は、ダイオキシン類以外のポリ塩化多環芳香族炭化水素類を除き、シリカゲル系充填材２２ａにより捕捉される。すなわち、疎水性溶媒溶液は、後段カラム２２において、精製処理される。
【００４３】
以上の過程において、第一ポンプ６３は、第一溶媒タンク６１から供給するジクロロメタン含有脂肪族炭化水素溶媒の量が、後段カラム２２へ供給された疎水性溶媒溶液に含まれるダイオキシン類の全量を十分に溶解可能な量となるよう作動させる。これにより、第一溶媒タンク６１から供給されるジクロロメタン含有脂肪族炭化水素溶媒は、後段カラム２２へ供給された疎水性溶媒溶液に含まれるダイオキシン類の実質的に全量を溶解した精製溶液として後段カラム２２からカラム連絡路４０へ流れる。
【００４４】
後段カラム２２からの上述の精製溶液（以下、「一次処理液」と云い、その一次処理液に含まれる溶媒を「一次溶媒」と云う）は、カラム連絡路４０を通過し、溶媒置換用カラム３０の上端側へ連続的に供給される。溶媒置換用カラム３０へ供給された一次処理液に含まれるダイオキシン類は、一次処理液が溶媒置換用カラム３０を上端側から下端側へ向けて通過する際にアルミナ系充填材３０ａにより捕捉される。また、一次処理液において不純物として含まれるポリ塩化ナフタレン等のダイオキシン類以外のポリ塩化多環芳香族炭化水素類は、アルミナ系充填材３０ａに捕捉されず、一次溶媒と共に溶媒置換用カラム３０を通過する。したがって、溶媒置換用カラム３０からは、実質的にダイオキシン類以外のポリ塩化多環芳香族炭化水素類を含む一次溶媒のみが排出され、この一次溶媒は、溶媒排出路５０を通じて溶媒回収タンク（図示せず）に回収される。
【００４５】
ここで、一次処理液に含まれているダイオキシン類は、溶媒置換用カラム３０に充填されたアルミナ系充填材３０ａにより捕捉されやすい。このため、当該ダイオキシン類は、図１に示すように、主に、溶媒置換用カラム３０の上端部付近Ｘで集中的に捕捉される。
【００４６】
次に、第二切替弁４１を操作してガス供給管８２と溶媒置換用カラム３０とが連絡するよう設定し、ガスボンベ８１からガス供給管８２へ不活性ガスを供給する。ガス供給管８２へ供給された不活性ガスは、第二切替弁４１からカラム連絡路４０の一部を通過し、溶媒置換用カラム３０へ供給される。溶媒置換用カラム３０へ供給された不活性ガスは、溶媒置換用カラム３０を通過し、溶媒排出路５０から外部へ排出される。この際、溶媒置換用カラム３０に残留している一次溶媒は、溶媒置換用カラム３０を通過する不活性ガス中に気散し、不活性ガスと共に外部へ排出される。この結果、溶媒置換用カラム３０に充填されたアルミナ系充填材３０ａは、実質的に一次溶媒を含まない状態に乾燥処理される。
【００４７】
アルミナ系充填材３０ａの上述のような乾燥処理においては、溶媒置換用カラム３０に対して不活性ガスを所定時間供給してから第一加熱装置３１を作動させ、溶媒置換用カラム３０を加熱するのが好ましい。このようにすると、アルミナ系充填材３０ａの乾燥処理に要する時間を効果的に短縮することができる。この乾燥処理において、第一加熱装置３１を最初から作動させて溶媒置換用カラム３０を加熱してしまうと、アルミナ系充填材３０ａに保持されたダイオキシン類の一部が溶媒置換用カラム３０から溶出する場合があるため、信頼性の高い親水性のダイオキシン類分析用試料が得られなくなる可能性がある。
【００４８】
次に、第一加熱装置３１を作動させ、若しくは第一加熱装置３１の作動を維持し、溶媒置換用カラム３０を加熱する。また、第二切替弁４１を操作し、溶媒置換用カラム３０と分析用試料排出路４２とが連絡するよう設定する。さらに、第三切替弁５１を操作し、第二溶媒供給路７２と溶媒置換用カラム３０とが連絡するよう設定する。この状態で第二ポンプ７３を作動させると、第二溶媒タンク７１に貯留された親水性溶媒は、第二溶媒供給路７２、第三切替弁５１および溶媒排出路５０の一部を通過して溶媒置換用カラム３０の下端側から上端側へ向けて連続的に供給される。すなわち、親水性溶媒は、溶媒置換用カラム３０における一次処理液の通過方向とは逆方向へ供給される。
【００４９】
溶媒置換用カラム３０へ供給された親水性溶媒は、アルミナ系充填材３０ａにより捕捉されたダイオキシン類を抽出し、分析用試料排出路４２へ流れる。したがって、分析用試料排出路４２から排出される親水性溶媒（すなわち、ダイオキシン類の親水性溶媒溶液）を確保すると、目的とする親水性のダイオキシン類分析用試料を得ることができる。この分析用試料は、上述のように溶媒置換用カラム３０のアルミナ系充填材３０ａから一次溶媒が除去されているため、実質的に一次溶媒を含まず、親水性の分析用試料を必要とするダイオキシン類分析方法、例えばバイオアッセイ法によるダイオキシン類の分析に適している。
【００５０】
ここで、アルミナ系充填材３０ａに捕捉されたダイオキシン類は、上述のように、溶媒置換用カラム３０の上端部付近Ｘで集中的に捕捉されているため、溶媒置換用カラム３０における移動距離が短く、少量の親水性溶媒で実質的に全量が速やかに抽出される。したがって、分析用試料排出路４２からは、一次処理液よりもダイオキシン類濃度の高い少量の分析用試料が得られることになる。具体的には、例えば、精製用カラム２０の後段カラム２２から溶媒置換用カラム３０へ供給される一次処理液量が１００ミリリットル程度であった場合、最終的に得られる親水性のダイオキシン類分析用試料は１ミリリットル程度へ大幅に濃縮される。
【００５１】
このようにして得られた分析用試料は、上述のような少量の濃縮液であり、しかもダイオキシン類以外のポリ塩化多環芳香族炭化水素類が除去されているため、そのままバイオアッセイ法によるダイオキシン類のＴＥＱ分析試料用として用いることができる。
【００５２】
［他の実施の形態］
【００５３】
（１）上述の実施の形態では、加熱した溶媒置換用カラム３０に対して親水性溶媒を供給し、アルミナ系充填材３０ａからダイオキシン類を抽出しているが、溶媒置換用カラム３０は加熱しなくてもよい。但し、通常は、溶媒置換用カラム３０を加熱した方が、アルミナ系充填材３０ａに捕捉されたダイオキシン類を抽出するために必要な親水性溶媒量が少なくなり、濃縮度の高い少量の分析用試料を得やすくなる。
【００５４】
（２）上述の実施の形態では、精製用カラム２０を前段カラム２１と後段カラム２２との二段に構成したが、前段カラム２１を省略した場合も本発明を同様に実施することができる。但し、ダイオキシン類の疎水性溶媒溶液に含まれる不純物をより効果的に除去することができ、目的とする親水性のダイオキシン類分析用試料の信頼性をより高めることができることから、通常は前段カラム２１を採用するのが好ましい。
【００５５】
（３）上述の実施の形態では、各切替弁１１，４１，５１、各ポンプ６３，７３並びに加第一熱装置３１および第二加熱装置（図示せず）などを手動で操作する場合について説明したが、これらの操作はコンピュータ制御等により自動化することもできる。
【実施例】
【００５６】
実施例１
上述の実施の形態において説明した調製装置１を用い、親水性のダイオキシン類分析用試料を調製した。ここでは、ダイオキシン類により汚染された土壌試料からトルエンを用いてダイオキシン類を粗抽出し、粗抽出液を得た。そして、この粗抽出液について、ダイオキシン類分析用のクリーンアップスパイク（表１に示す、１３Ｃ１２でラベルされた７種類のＰＣＤＤｓ、１０種類のＰＣＤＦｓおよび１２種類のＣｏ−ＰＣＢｓからなるもの）を所定量添加した後、溶媒をトルエンから５ミリリットルのｎ−ヘキサンに置換した。
【００５７】
上述のようにして得られたダイオキシン類の疎水性溶媒溶液（ｎ−ヘキサン溶液）の全量を試料供給路１０から精製用カラム２０の前段カラム２１に対して供給し、目的の分析用試料を調製した。調製装置１において、精製用カラム２０の前段カラム２１および後段カラム２２並びに溶媒置換用カラム３０は、次のように設定した。第一溶媒タンク６１には、ジクロロメタンを２容量％含むｎ−ヘキサン（以下、本実施例において「ジクロロメタン含有ヘキサン」と云う）を貯留した。第二溶媒タンク７１には、親水性溶媒として、ジメチルスルホキシド（ＤＭＳＯ）を貯留した。
【００５８】
◎前段カラム
サイズ：内径１２．５ｍｍ、長さ２０ｍｍ
保持材：シリカゲル
◎後段カラム
サイズ：内径１２．５ｍｍ、長さ１７０ｍｍ
シリカゲル系充填材：硝酸銀シリカゲル、硫酸シリカゲルおよびシリカゲルを多層に充填した多層シリカゲル
◎溶媒置換用カラム
サイズ：内径６ｍｍ、長さ３０ｍｍ
アルミナ系充填材：アイ・シー・エヌバイオメディカルズ社の商品名“ＩＣＮアルミナ  Ｂ−ＳｕｐｅｒＩ”
【００５９】
ダイオキシン類分析用試料の調製過程では、４０ミリリットルのジクロロメタン含有ヘキサンを２．５ミリリットル／分の流速で精製用カラム２０に対して供給した。また、第二溶媒タンク７１のジメチルスルホキシドおよび溶媒置換用カラム３０は６０℃に加熱し、第二溶媒タンク７１から溶媒置換用カラム３０に対して供給するジメチルスルホキシドの流速は１ミリリットル／分に設定した。さらに、ガス供給部８０からは、溶媒置換用カラム３０の乾燥処理のために、４００ミリリットル／分の流速で３分間窒素ガスを供給した。そして、分析用試料排出路４２から排出されるダイオキシン類のジメチルスルホキシド溶液（分析用試料）は、フラクションコレクターを用いて１ミリリットルずつ分画して採取した。因みに、第一溶媒タンク６１から精製用カラム２０に対するジクロロメタン含有ヘキサンの供給開始から分析用試料の最初の１ミリリットルの分画を得るまでに要した時間は、４０分であった。
【００６０】
フラクションコレクターにより採取された最初の１ミリリットルの分析用試料について、ジメチルスルホキシドをｎ−ヘキサンに置換し、確認用試料を調製した。この確認用試料を高分解能ＧＣ／ＭＳ法により分析し、クリーンアップスパイクの回収率を求めた。結果を表１に示す。また、同分析により、確認用試料におけるダイオキシン類以外のポリ塩化多環芳香族炭化水素類の有無を併せて調べたところ、当該ポリ塩化多環芳香族炭化水素類は実質的に検出されなかった。
【００６１】
表１において、回収率（％）は、粗抽出液に添加したクリーンアップスパイクに含まれていた特定のダイオキシン類量（Ａ）に対する、確認用試料に含まれる当該ダイオキシン類量（Ｂ）の割合（Ｂ／Ａ×１００）である。この結果によると、クリーンアップスパイクは、Ｃｏ−ＰＣＢｓの回収率が２０％以下であったが、ＰＣＤＤｓおよびＰＣＤＦｓについては９０％以上が回収されている。したがって、添加したクリーンアップスパイク中のＰＣＤＤｓおよびＰＣＤＦｓは、実質的に、分析用試料の最初の１ミリリットルの分画中に含まれていることになり、当該最初の分画は、少なくとも、上記土壌試料におけるＰＣＤＤｓおよびＰＣＤＦｓを基準としたダイオキシン類のＴＥＱ判定のための分析用試料として用いることができる。
【００６２】
ＰＣＢｓによる汚染が少ない土壌等の試料については、ダイオキシン類のＴＥＱに占めるＣｏ−ＰＣＢｓの寄与は小さいため、当該試料における、ＰＣＤＤｓおよびＰＣＤＦｓを基準としたダイオキシン類のＴＥＱは、上述の最初の分画を分析用試料としてバイオアッセイ法を実施すると、求めることができることになる。したがって、上述の調製装置１を用いれば、ダイオキシン類のｎ−ヘキサン溶液から短時間で、ダイオキシン類以外のポリ塩化多環芳香族炭化水素類を実質的に含まない、バイオアッセイ法に適した親水性のダイオキシン類分析用試料を容易に調製することができる。
【００６３】
【表１】
2006275821.tif 000003
【００６４】
実施例２
実施例１と同様の方法（以下、「本法」と云う）により数種類の土壌試料からそれぞれ分析用試料（実施例１における、上述の最初の１ミリリットルの分析用試料を意味する）を調製し、各分析用試料について、バイオアッセイ法によりＴＥＱを求めた（以下、これにより得られたＴＥＱを「本法ＴＥＱ」と云う）。
【００６５】
また、同じ数種類の土壌試料から、「ダイオキシン類の脱塩素化処理におけるバイオアッセイモニタリング」、第１１回環境化学討論会講演要旨集、日本環境化学会、２００２年６月３日〜５日、４３０−４３１頁（上述の非特許文献８）およびＯｒｇａｎｏｈａｌｏｇｅｎ Ｃｏｍｐｏｕｎｄｓ，４５，２００−２０３（２０００）（上述の非特許文献９）に記載の手作業による方法（以下、「従来法」と云う）により分析用試料を調製し、各分析用試料について、バイオアッセイ法によりＴＥＱを求めた（以下、これにより得られたＴＥＱを「従来法ＴＥＱ」と云う）。
【００６６】
さらに、同じ数種類の土壌試料から公定法により分析用試料を調製し、各分析用試料について、公定法に規定された高分解能ＧＣ／ＭＳ法によりＴＥＱを求めた（以下、これにより得られたＴＥＱを「公定法ＴＥＱ」と云う）。なお、ここでの「公定法」は、「ダイオキシン類に係る土壌調査測定マニュアル」（平成１２年１月、環境庁水質保全局土壌農業課）に記載の方法を意味する。
【００６７】
本法ＴＥＱおよび従来法ＴＥＱを公定法ＴＥＱと比較した結果を図２に示す。図２によると、従来法ＴＥＱは、相関係数（ｒ）が０．４２と低く、また、回帰式の傾きも１．９０であって１からかけ離れているが、本法ＴＥＱは、相関係数（ｒ）が０．７３と高く、しかも、回帰式の傾きも１．２６であって１に近い。この結果によると、本法ＴＥＱは、従来法ＴＥＱよりも公定法ＴＥＱにより近く、従来法ＴＥＱに比べて結果の信頼性が高い。したがって、本法は、従来法に比べ、ダイオキシン類の疎水性溶媒溶液から、バイオアッセイ法に適した信頼性の高い親水性のダイオキシン類分析用試料を調製可能なことがわかる。
【図面の簡単な説明】
【００６８】
【図１】本発明の実施の一形態に係るダイオキシン類の分析用試料調製装置の概略図。
【図２】実施例２の結果を示すグラフ。
【符号の説明】
【００６９】
１  調製装置
１０  試料供給路
２２  後段カラム
２２ａ  シリカゲル系充填材
３０  溶媒置換用カラム
３０ａ  アルミナ系充填材
３１  第一加熱装置
４０  カラム連絡路
４２  分析用試料排出路
６０  第一溶媒供給部
７０  第二溶媒供給部
８０  ガス供給部
【図１】
2006275821.tif 000004
【図２】
2006275821.tif 000005